(57)【要約】本発明は，信号をクロスコネクトして伝送する伝送装置（ＮＥ）からなる伝送ネットワークのクロスコネクトまたはパスの設定を行うネットワーク管理システム（ＮＭＳ）を提供する。階層化された複数のＮＭＳにおいて，上位のＮＭＳにより設定されたクロスコネクトを下位のＮＭＳは変更および解除できないようになっている。ＮＭＳからＮＥに送信されるクロスコネクトの設定，変更，または解除のコマンドには，設定元，変更元，または解除元のＮＭＳを示す情報が付加される。ＮＭＳは，クロスコネクトの変更または解除を行う際に，対象となるクロスコネクトの設定元（変更元）のＮＭＳを示す情報と自己とを比較し，自己が変更または解除する権限を有するかどうかを判断し，権限を有する場合に変更コマンドまたは解除コマンドを送信する。ＮＥも同様の判断を行い，変更元または解除元が権限を有する場合に，クロスコネクトを変更または解除する。
2004051928.tif 000002
【特許請求の範囲】
【請求項１】
信号をクロスコネクトして伝送する伝送装置を管理するネットワーク管理システムであって，
前記伝送装置のクロスコネクトの設定，該伝送装置に設定されたクロスコネクトの変更，または該伝送装置に設定されたクロスコネクトの解除を入力する入力部と，
前記入力部により入力された前記クロスコネクトの設定，変更，または解除を前記伝送装置に指示するコマンドを生成するコマンド生成部と，
前記コマンド生成部により生成されたコマンドに，設定元，変更元，または解除元のネットワーク管理システムを示す情報を付加する情報付加部と，
前記情報付加部により前記情報が付加されたコマンドを前記伝送装置に送信する送信部と，
を備えているネットワーク管理システム。
【請求項２】
請求の範囲第１項において，
前記クロスコネクトの変更または解除の権限の有無を示すデータを記憶する記憶部と，
前記入力部により変更または解除が入力された場合に，前記記憶部に記憶された前記データに基づいて変更または解除の権限の有無を判断する判断部と，
をさらに備え，
前記コマンド生成部，前記情報付加部，および前記送信部は，前記判断部により権限を有すると判断された場合に，前記各処理を実行する，
ネットワーク管理システム。
【請求項３】
信号をクロスコネクトして伝送する伝送装置を管理するネットワーク管理システムであって，
前記伝送装置のクロスコネクトの設定，該伝送装置に設定されたクロスコネクトの変更，または該伝送装置に設定されたクロスコネクトの解除を入力する入力部と，
該クロスコネクトの変更または解除の権限を委譲するネットワーク管理システムを指定する指定部と，
前記入力部により入力された前記クロスコネクトの設定，変更，または解除を前記伝送装置に指示するコマンドを生成するコマンド生成部と，
前記コマンド生成部により生成されたコマンドに，前記指定部により指定されたネットワーク管理システムを示す情報を付加する情報付加部と，
前記情報付加部により前記情報が付加されたコマンドを前記伝送装置に送信する送信部と，
を備えているネットワーク管理システム。
【請求項４】
請求の範囲第３項において，
前記クロスコネクトの変更または解除の権限の有無を示すデータを記憶する記憶部と，
前記入力部により変更または解除が入力された場合に，前記記憶部に記憶された前記データまたは前記指定部により指定されたネットワーク管理システムに基づいて変更または解除の権限の有無を判断する判断部と，
をさらに備え，
前記コマンド生成部，前記情報付加部，および前記送信部は，前記判断部により権限を有すると判断された場合に，前記各処理を実行する，
ネットワーク管理システム。
【請求項５】
信号をクロスコネクトして伝送するとともに，該クロスコネクトの設定情報を該クロスコネクトの設定元の情報と関連付けて記憶する伝送装置を管理するネットワーク管理システムであって，
前記伝送装置の前記クロスコネクトの設定情報の確認要求を入力する入力部と，
前記入力部により入力された前記確認要求に基づいて確認要求コマンドを生成するコマンド生成部と，
前記コマンド生成部により生成された前記確認要求コマンドを前記伝送装置に送信する送信部と，
前記伝送装置から返信された前記設定情報および設定元情報を受信する受信部と，
前記受信部により受信された前記設定情報および設定元情報を関連付けて表示する表示部と，
を備えているネットワーク管理システム。
【請求項６】
信号をクロスコネクトして伝送する伝送装置を管理するネットワーク管理システムであって，
前記伝送装置のクロスコネクトの設定変更または設定解除の権限を下位のネットワーク管理システムに一括委譲する指示を入力する入力部と，
前記入力部により入力された一括委譲の指示により，前記伝送装置のクロスコネクトの設定変更許可または設定解除許可コマンドを生成するコマンド生成部と，
前記コマンド生成部により生成された前記設定変更許可または設定解除許可コマンドを前記伝送装置に送信する送信部と，
を備えているネットワーク管理システム。
【請求項７】
信号をクロスコネクトして伝送する伝送装置を管理するネットワーク管理システムであって，
下位のネットワーク管理システムによる前記伝送装置のクロスコネクトの設定変更または設定解除の一括禁止を入力する入力部と，
前記入力部により入力された一括禁止を指示する設定変更禁止または設定解除禁止コマンドを生成するコマンド生成部と，
前記コマンド生成部により生成された前記設定変更禁止または設定解除禁止コマンドを前記伝送装置に送信する送信部と，
を備えているネットワーク管理システム。
【請求項８】
信号をクロスコネクトして伝送するとともに，設定されたクロスコネクトの変更または解除の権限が下位のネットワーク管理システムに一括委譲されているかどうかを示す許可状態を記憶する伝送装置を管理するネットワーク管理システムであって，
前記伝送装置のクロスコネクトの変更または解除の権限の下位のネットワーク管理システムへの一括委譲の状況確認要求を入力する入力部と，
前記入力部により入力された状況確認要求に基づいて許可状態確認コマンドを生成するコマンド生成部と，
前記コマンド生成部により生成された前記許可状態確認コマンドを前記伝送装置に送信する送信部と，
前記伝送装置から返信された許可情報を受信する受信部と，
前記受信部により受信された許可状態を表示する表示部と，
を備えているネットワーク管理システム。
【請求項９】
信号をクロスコネクトして伝送する伝送装置であって，
クロスコネクトの設定，設定されたクロスコネクトの変更，または設定されたクロスコネクトの解除を指示する，設定元，変更元，または解除元となるネットワーク管理システムを表す情報を含むコマンドを前記ネットワーク管理システムから受信するコマンド受信部と，
前記コマンド受信部により受信されたコマンドに基づいてクロスコネクトを設定，変更，または解除する制御部と，
前記コマンド受信部により受信されたコマンドに含まれる前記ネットワーク管理システムを表す情報を，設定または変更されたクロスコネクトの設定情報と関連付けて記憶する記憶部と，
を備えている伝送装置。
【請求項１０】
請求の範囲第９項において，
前記記憶部に記憶されたクロスコネクトの設定情報およびネットワーク管理システムを表す情報の検索要求を前記ネットワーク管理システムから受信する検索要求受信部と，
前記検索要求受信部により受信された検索要求に基づいて，前記記憶部に記憶されたクロスコネクトの設定情報およびネットワーク管理システムを表す情報を関連付けて前記ネットワーク管理システムに返信する返信部と，
をさらに備えている伝送装置。
【請求項１１】
請求の範囲第９項において，
前記コマンド受信部により受信されたコマンドがクロスコネクトの変更または解除を指示するコマンドである場合に，該コマンドに含まれる変更元または解除元となるネットワーク管理システムを表す情報と，前記記憶部に該クロスコネクトの設定情報と関連付けて記憶されたネットワーク管理システムを表す情報とを比較して，前記コマンドに含まれる変更元または解除元のネットワーク管理システムが変更または解除の権限を有するかどうかを判断する判断部をさらに備え，
前記制御部は，前記判断部による判断の結果，変更元または解除元のネットワーク管理システムが権限を有する場合にクロスコネクトの変更または削除を実行し，権限を有しない場合に変更および削除を実行しない，
伝送装置。
【請求項１２】
請求の範囲第９項において，
前記コマンドは，設定されたクロスコネクトの変更または削除の権限を委譲する権限委譲情報をさらに含み，
前記記憶部は，前記権限委譲情報を前記クロスコネクトの設定情報と関連付けて記憶する，
伝送装置。
【請求項１３】
請求の範囲第１２項において，
前記コマンド受信部により受信されたコマンドがクロスコネクトの変更または解除を指示するコマンドである場合に，該コマンドに含まれる変更元または解除元となるネットワーク管理システムを表す情報と，該コマンドに含まれる権限委譲情報または前記記憶部に該クロスコネクトの設定情報と関連付けて記憶された前記権限委譲情報とを比較して，前記コマンドに含まれる変更元または解除元のネットワーク管理システムが変更または解除の権限を有するかどうかを判断する判断部をさらに備え，
前記制御部は，前記判断部による判断の結果，変更元または解除元のネットワーク管理システムが権限を有する場合に前記変更または解除を実行し，権限を有しない場合に前記変更および解除を実行しない，
伝送装置。
【請求項１４】
請求の範囲第１２項において，
前記記憶部に記憶されたクロスコネクトの設定情報および権限委譲情報の検索要求を前記ネットワーク管理システムから受信する検索要求受信部と，
前記検索要求受信部により受信された検索要求に基づいて，前記記憶部に記憶されたクロスコネクトの設定情報および権限委譲情報を関連付けて前記ネットワーク管理システムに返信する返信部と，
をさらに備えている伝送装置。
【請求項１５】
請求の範囲第９項において，
クロスコネクトの変更または削除を伝送装置単位で一括して委譲する一括委譲コマンドをネットワーク管理システムから受信する一括委譲コマンド受信部をさらに備え，
前記記憶部は，前記一括委譲コマンド受信部により受信された前記一括委譲を示す情報を前記クロスコネクトの設定情報と関連付けて記憶する，
伝送装置。
【請求項１６】
請求の範囲第１５項において，
前記制御部は，前記コマンド受信部により受信されたコマンドがクロスコネクトの変更または解除を指示するコマンドである場合に，前記記憶部に前記一括委譲を示す情報が記憶されているかどうかを判断し，前記一括委譲を示す情報が記憶されている場合に前記変更または解除を実行する，
伝送装置。
【請求項１７】
請求の範囲第１５項において，
クロスコネクトの変更または削除を伝送装置単位で一括して禁止する一括禁止コマンドをネットワーク管理システムから受信する一括禁止コマンド受信部をさらに備え，
前記記憶部は，前記一括禁止コマンド受信部により受信された前記一括禁止コマンドに従って，前記クロスコネクトの設定情報と関連付けて記憶された前記一括委譲を示す情報を消去する，
伝送装置。
【請求項１８】
請求の範囲第１５項において，
前記記憶部に記憶されたクロスコネクトの設定情報および一括委譲を示す情報の検索要求を前記ネットワーク管理システムから受信する検索要求受信部と，
前記検索要求受信部により受信された検索要求に基づいて，前記記憶部に記憶されたクロスコネクトの設定情報および権限委譲情報を関連付けて前記ネットワーク管理システムに返信する返信部と，
をさらに備えている伝送装置。
【発明の詳細な説明】
【技術分野】  本発明は，伝送ネットワークを管理するネットワーク管理システムに関し，特に，信号をクロスコネクトして伝送する伝送装置からなる伝送ネットワークのクロスコネクトまたはパスの設定を行うネットワーク管理システムに関する。
また，本発明は，伝送ネットワークを構成する伝送装置に関し，特に，信号をクロスコネクトして伝送する伝送装置に関する。
【背景技術】  遠隔地の通信監視装置の遠隔で保守する従来の方法として，特開平８−１８２０８０号公報に記載のソフトウェア遠隔保守方法がある。このソフトウェア遠隔保守方法では，各地域にそれぞれ配置された通信監視装置同士が網内回線で互いに接続されてデータ収集／制御ネットワークが構築される。そして，各通信監視装置は，保守端末から入力された保守用コマンドが遠隔地宛てか自地宛てかを判定して，遠隔地宛てである場合に，保守用コマンドに，ネットワークで使用している送信先アドレスおよび送信元アドレスを付加して遠隔地の通信監視装置に網内回線で送信する。
一方，ＳＯＮＥＴ／ＳＤＨ（Ｓｙｎｃｈｒｏｎｏｕｓ  Ｏｐｔｉｃａｌ  Ｎｅｔｗｏｒｋ／Ｓｙｎｃｈｒｏｎｏｕｓ  Ｄｉｇｉｔａｌ  Ｈｉｅｒａｒｃｈｙ）システムやＷＤＭ（Ｗａｖｅｌｅｎｇｔｈ  Ｄｉｖｉｓｉｏｎ  Ｍｕｌｔｉｐｌｅｓ）システムにおけるクロスコネクト装置，光クロスコネクト装置等の伝送装置を有する伝送ネットワークには，伝送装置のクロスコネクトを設定したり，伝送ネットワークにパスを設定したりするネットワーク管理システム（ＮＭＳ：Ｎｅｔｗｏｒｋ  Ｍａｎａｇｅｍｅｎｔ  Ｓｙｓｔｅｍ）が設けられる。
近年，伝送ネットワークの大規模化／大容量化が進むにつれて，ＴＭＮ（Ｔｅｌｅｃｏｍｍｕｎｉｃａｔｉｏｎ  Ｍａｎａｇｅｍｅｎｔ  Ｎｅｔｗｏｒｋ）の階層モデルに示されるような階層化されたＮＭＳが導入されるようになってきている。この階層モデルでは，たとえば，上位のネットワーク管理レイヤ（Ｎｅｔｗｏｒｋ  Ｍａｎａｇｅｍｅｎｔ  Ｌａｙｅｒ）のＮＭＳ（ＮＭＳ−ＮＭＬ）および下位のエレメント管理レイヤ（Ｅｌｅｍｅｎｔ  Ｍａｎａｇｅｍｅｎｔ  Ｌａｙｅｒ）のＮＭＳ（ＮＭＳ−ＮＭＬ）が設けられる。そして，ＮＭＳ−ＮＭＬにより，伝送ネットワーク全体の一括集中管理が行われる一方，伝送ネットワークの一部分を管理するＮＭＳ−ＥＭＬにより，伝送ネットワークの各部分が管理される。
現状では，ＮＭＳ−ＮＭＬ，ＮＭＳ−ＥＬＭ，および各伝送装置に直接接続され伝送装置のクロスコネクトを設定する架前端末（ＬＣＴ：Ｌｏｃａｌ  Ｃｒａｆｔ  Ｔｅｒｍｉｎａｌ）が全て同等にクロスコネクトの設定，変更等を行うことができるようになっている。したがって，いずれのＮＭＳおよびＬＣＴでも，使用するユーザアカウントがクロスコネクトの設定，変更，解除（削除）等の権限を有する場合には，伝送装置のクロスコネクト機能をフルに操作することができる。
しかし，このように各レイヤのＮＭＳおよびＬＣＴが同じ権限を有し，自由にクロスコネクトの設定，変更，削除等を行うことができると，各レイヤを使用する保守担当者間の意志疎通がスムーズに行われていない場合には，クロスコネクトの設定に矛盾が生じ，システム全体として混乱し，結果的に信号が正しく伝送されない等の障害を発生するおそれがある。
【発明の開示】
本発明は，階層化された複数のネットワーク管理システムにより管理される伝送ネットワークにおいても，伝送装置のクロスコネクトを矛盾なく設定し，信号が正しく伝送されるようにすることを目的とする。
本発明によるネットワーク管理システムは，信号をクロスコネクトして伝送する伝送装置を管理するネットワーク管理システムであって，前記伝送装置のクロスコネクトの設定，該伝送装置に設定されたクロスコネクトの変更，または該伝送装置に設定されたクロスコネクトの解除を入力する入力部と，前記入力部により入力された前記クロスコネクトの設定，変更，または解除を前記伝送装置に指示するコマンドを生成するコマンド生成部と，前記コマンド生成部により生成されたコマンドに，設定元，変更元，または解除元のネットワーク管理システムを示す情報を付加する情報付加部と，前記情報付加部により前記情報が付加されたコマンドを前記伝送装置に送信する送信部と，を備えている。
本発明によるネットワーク管理システムは，信号をクロスコネクトして伝送する伝送装置を管理するネットワーク管理システムであって，前記伝送装置のクロスコネクトの設定，該伝送装置に設定されたクロスコネクトの変更，または該伝送装置に設定されたクロスコネクトの解除を入力する入力部と，該クロスコネクトの変更または解除の権限を委譲するネットワーク管理システムを指定する指定部と，前記入力部により入力された前記クロスコネクトの設定，変更，または解除を前記伝送装置に指示するコマンドを生成するコマンド生成部と，前記コマンド生成部により生成されたコマンドに，前記指定部により指定されたネットワーク管理システムを示す情報を付加する情報付加部と，前記情報付加部により前記情報が付加されたコマンドを前記伝送装置に送信する送信部と，を備えている。
本発明によるネットワーク管理システムは，信号をクロスコネクトして伝送するとともに，該クロスコネクトの設定情報を該クロスコネクトの設定元の情報と関連付けて記憶する伝送装置を管理するネットワーク管理システムであって，前記伝送装置の前記クロスコネクトの設定情報の確認要求を入力する入力部と，前記入力部により入力された前記確認要求に基づいて確認要求コマンドを生成するコマンド生成部と，前記コマンド生成部により生成された前記確認要求コマンドを前記伝送装置に送信する送信部と，前記伝送装置から返信された前記設定情報および設定元情報を受信する受信部と，前記受信部により受信された前記設定情報および設定元情報を関連付けて表示する表示部と，を備えている。
本発明によるネットワーク管理システムは，信号をクロスコネクトして伝送する伝送装置を管理するネットワーク管理システムであって，前記伝送装置のクロスコネクトの設定変更または設定解除の権限を下位のネットワーク管理システムに一括委譲する指示を入力する入力部と，前記入力部により入力された一括委譲の指示により，前記伝送装置のクロスコネクトの設定変更許可または設定解除許可コマンドを生成するコマンド生成部と，前記コマンド生成部により生成された前記設定変更許可または設定解除許可コマンドを前記伝送装置に送信する送信部と，を備えている。
本発明によるネットワーク管理システムは，信号をクロスコネクトして伝送する伝送装置を管理するネットワーク管理システムであって，下位のネットワーク管理システムによる前記伝送装置のクロスコネクトの設定変更または設定解除の一括禁止を入力する入力部と，前記入力部により入力された一括禁止を指示する設定変更禁止または設定解除禁止コマンドを生成するコマンド生成部と，前記コマンド生成部により生成された前記設定変更禁止または設定解除禁止コマンドを前記伝送装置に送信する送信部と，を備えている。
本発明によるネットワーク管理システムは，信号をクロスコネクトして伝送するとともに，設定されたクロスコネクトの変更または解除の権限が下位のネットワーク管理システムに一括委譲されているかどうかを示す許可状態を記憶する伝送装置を管理するネットワーク管理システムであって，前記伝送装置のクロスコネクトの変更または解除の権限の下位のネットワーク管理システムへの一括委譲の状況確認要求を入力する入力部と，前記入力部により入力された状況確認要求に基づいて許可状態確認コマンドを生成するコマンド生成部と，前記コマンド生成部により生成された前記許可状態確認コマンドを前記伝送装置に送信する送信部と，前記伝送装置から返信された許可情報を受信する受信部と，前記受信部により受信された許可状態を表示する表示部と，を備えている。
本発明による伝送装置は，信号をクロスコネクトして伝送する伝送装置であって，クロスコネクトの設定，設定されたクロスコネクトの変更，または設定されたクロスコネクトの解除を指示する，設定元，変更元，または解除元となるネットワーク管理システムを表す情報を含むコマンドを前記ネットワーク管理システムから受信するコマンド受信部と，前記コマンド受信部により受信されたコマンドに基づいてクロスコネクトを設定，変更，または解除する制御部と，前記コマンド受信部により受信されたコマンドに含まれる前記ネットワーク管理システムを表す情報を，設定または変更されたクロスコネクトの設定情報と関連付けて記憶する記憶部と，を備えている。
【図面の簡単な説明】  図１は，本発明の実施の形態によるネットワーク管理システムおよび伝送装置を有する伝送ネットワークシステムの全体構成を示すブロック図である。
図２は，ＮＭＳの詳細な構成を示すブロック図である。
図３は，ＮＭＳのＧＵＩ部により表示されるクロスコネクトの操作画面の一例を示す。
図４は，ＮＭＳのデータベースに記憶されたクロスコネクト管理テーブルの一例を示す。
図５は，ＮＥの詳細な構成を示すブロック図である。
図６は，ＮＥのデータベースに記憶されたクロスコネクト設定テーブルの一例を示す。
図７は，ネットワーク管理者がクロスコネクトの設定変更をＮＭＳ（またはＬＣＴ）に指示した場合の設定変更元のＮＭＳ（またはＬＣＴ）の処理の流れを示すフローチャートである。
図８は，クロスコネクトの設定変更を行うＮＥの処理の流れを示すフローチャートである。
図９は，ＮＭＳまたはＬＣＴから送信されるコマンドのデータ構造の一例を示す。
【発明を実施するための最良の形態】  ＜伝送ネットワークシステムの構成＞
図１は，本発明の実施の形態によるネットワーク管理システムおよび伝送装置を有する伝送ネットワークシステムの全体構成を示すブロック図である。
この伝送ネットワークシステムは伝送ネットワーク４０を有する。この伝送ネットワーク４０には，複数（図１では一例として４つ）の伝送装置（ＮＥ：Ｎｅｔｗｏｒｋ  Ｅｌｅｍｅｎｔ）４１〜４４が設けられている。
ＮＥ４１〜４４は，本実施の形態ではクロスコネクト装置であり，波長分割多重（ＷＤＭ：Ｗａｖｅｌｅｎｇｔｈ  Ｄｉｖｉｓｉｏｎ  Ｍｕｌｔｉｐｌｅｘｉｎｇ）システムでは，光の状態で各波長の光信号をクロスコネクトする光クロスコネクト装置，ＳＯＮＥＴ／ＳＤＨシステムでは，光信号を電気信号に変換後，時分割多重されたタイムスロットの順序を入れ替えるクロスコネクト装置である。ＮＥ４１〜４４には伝送路（たとえば光ファイバ）Ｌ１〜Ｌ６が接続され，ＮＥ４１〜４４は，これらの伝送路Ｌ１〜Ｌ６を介してデータ信号（ユーザ信号）を伝送する。
ネットワーク管理システム（ＮＭＳ：Ｎｅｔｗｏｒｋ  Ｍａｎａｇｅｍｅｎｔ  Ｓｙｓｔｅｍ）１，２１，および２２は，伝送ネットワーク４０を管理し，特に，ＮＥ４１〜４４のクロスコネクトの新規設定，設定変更，設定解除（設定削除），および設定検索（以下，これらを特に区別する場合を除き「設定等」と総称する。），ならびにデータ信号のパスの設定等を行う。
これらのＮＭＳは，ＴＭＮ（Ｔｅｌｅｃｏｍｍｕｎｉｃａｔｉｏｎ  Ｍａｎａｇｅｍｅｎｔ  Ｎｅｔｗｏｒｋ）の階層モデルにしたがって，上位レイヤのネットワーク管理レイヤ（Ｎｅｔｗｏｒｋ  Ｍａｎａｇｅｍｅｎｔ  Ｌａｙｅｒ）および下位レイヤのエレメント管理レイヤ（Ｅｌｅｍｅｎｔ  Ｍａｎａｇｅｍｅｎｔ  Ｌａｙｅｒ）に階層化されている。
ネットワーク管理レイヤにはＮＭＳ（以下「ＮＭＳ−ＮＭＬ」という。）１が設けられ，エレメント管理レイヤには，ＮＭＳ（以下「ＮＭＳ−ＥＭＬ」という。）２１および２２が設けられる。たとえば，ＮＭＳ−ＮＭＬ１は全国に１つ設けられ，ＮＭＳ−ＥＭＬ２１および２２は全国を２つの地域に分割した各地域に設けられる。
もっとも，レイヤを上位および下位の２つにしたのは一例であって，３つ以上のレイヤに階層化されていてもよい。
また，ＮＥ４１〜４４がそれぞれ設置された現場において，ＮＥ４１〜４４の各クロスコネクトを設定等できるように，架前端末（ＬＣＴ：Ｌｏｃａｌ  Ｃｒａｆｔ  Ｔｅｒｍｉｎａｌ）３１〜３４がＮＥ４１〜４４にそれぞれ直接接続されている。ＬＣＴ３１〜３４は，それぞれ直接接続されたＮＥ４１〜４４のクロスコネクトの設定等を行う。
クロスコネクトの設定等は，ＮＭＳ−ＮＭＬ１，ＮＭＳ−ＥＬＭ２１もしくは２２，またはＬＣＴ３１〜３３からＮＥ４１〜４４に設定等のコマンドを送信することにより行われる。ＮＭＳ−ＮＭＬ１とＮＭＳ−ＥＭＬ２１および２２とはデータ通信ネットワーク（ＤＣＮ：Ｄａｔａ  Ｃｏｍｍｕｎｉｃａｔｉｏｎ  Ｎｅｔｗｏｒｋ）５により接続され，ＮＭＳ−ＥＭＬ２１とＬＣＴ３１および３２とはＤＣＮ６１により接続され，ＮＭＳ−ＥＭＬ２２とＬＣＴ３３および３４とはＤＣＮ６２により接続されている。クロスコネクトの設定等のコマンドは，これらのＤＣＮを介してＮＭＳ−ＮＭＬ１またはＮＭＳ−ＥＬＭ２１もしくは２２からＮＥ４１〜４４に送信される。
ＮＭＳ−ＮＭＬ１ならびにＮＭＳ−ＥＭＬ２１および２２は，レイヤに応じて管理／制御（特にクロスコネクトの設定等，パスの設定等）の対象となるＮＥが異なる。ＮＭＳ−ＮＭＬ１は，伝送ネットワーク４０に存在するすべてのＮＥ４１〜４４を対象とし，ＮＭＳ−ＥＭＬ２１はＮＥ４１および４２を対象とし，ＮＭＳ−ＥＭＬ２２はＮＥ４３および４４を対象とする。
また，レイヤに応じて，クロスコネクトの新規設定，設定変更，および設定削除の権限の上下関係が定められている。すなわち，上位のＮＭＳにより新規設定または設定変更されたクロスコネクトを，下位のＮＭＳおよびＬＣＴは設定変更および設定削除することができないようになっている。一方，下位のＮＭＳまたはＬＣＴにより新規設定または設定変更されたクロスコネクトを，上位のＮＭＳは設定変更および設定削除することができるようになっている。
たとえば，上位のＮＭＳ−ＮＭＬ１により新規設定または設定変更されたクロスコネクトを，下位のＮＭＳ−ＥＭＬ２１および２２ならびにＬＣＴ４１〜４４は設定変更および設定削除することができない。一方，下位のＮＭＳ−ＥＭＬ２１もしくは２２またはＬＣＴ４１〜４４により新規設定または設定変更されたクロスコネクトを，上位のＮＭＳ−ＮＭＬ１は設定変更および設定削除することができる。
同様にして，ＮＭＳ−ＥＭＬ２１により新規設定または設定変更されたクロスコネクトを，ＬＣＴ３１および３２は設定変更および設定削除することができない一方，ＬＣＴ３１または３２により新規設定または設定変更されたクロスコネクトを，ＮＭＳ−ＥＭＬ２１は設定変更および設定削除することができる。また，ＮＭＳ−ＥＬＭ２２により新規設定または設定変更されたクロスコネクトを，ＬＣＴ３１および３２は設定変更および設定削除することができない一方，ＬＣＴ３３または３４により新規設定または設定変更されたクロスコネクトを，ＮＭＳ−ＥＭＬ２２は設定変更および設定削除することができる。
このようにクロスコネクトの設定変更および設定削除の権限が定められているので，上位のＮＭＳが設定したクロスコネクトが下位のＮＭＳまたはＬＣＴにより不用意に変更されることがなく，信号が正しく伝送されない等の障害を回避することができる。
一方，上位のＮＭＳ−ＮＭＬ１は，下位のＮＭＳ−ＥＬＭ２１もしくは２２，またはＬＣＴ３１〜３４に，設定変更（および設定削除）の権限を委譲することもできる。例えば，ＮＭＳ−ＮＭＬ１は，自己が新規設定したクロスコネクトの設定変更（および設定削除）の権限をＮＭＳ−ＥＭＬ２１もしくは２２またはＬＣＴ３１〜３４のいずれかに委譲することができる。また，ＮＭＳ−ＥＬＭ２１は，自己が新規設定したクロスコネクトの設定変更（および設定削除）の権限をＬＣＴ３１または３２に委譲することができる。権限を委譲されたＮＭＳ２１もしくは２２またはＬＣＴ４１〜４４は，委譲された権限に基づいて，設定されたクロスコネクトを設定変更（および設定削除）することができる。
また，上位のＮＭＳは，下位のＮＭＳまたはＬＣＴにＮＥ単位で，クロスコネクトの設定変更（および設定削除）の権限を一括委譲することもできる。たとえば，ＮＭＳ−ＮＭＬ１は，ＮＥ４１に設定されたすべてのクロスコネクトの設定変更（および設定削除）の権限をＮＭＳ−ＥＭＬ２１またはＬＣＴ３１に委譲することができる。
このように権限を委譲できることにより，状況に応じて，クロスコネクトの設定変更（および設定削除）に柔軟に対応することができる。
さらに，上位のＮＭＳは，設定変更（および設定削除）の権限が一括委譲された下位のＮＭＳまたはＬＣＴに対して，設定変更（および設定削除）をＮＥ単位で一括禁止することもできる。たとえば，ＮＭＳ−ＮＭＬ１は，ＮＭＳ−ＥＭＬ２１またはＬＣＴ３１に対して，ＮＥ４１に設定されたすべてのクロスコネクトの設定変更（および設定削除）の一括禁止をすることができる。
以下では，ＮＭＳ−ＮＭＬ１ならびにＮＭＳ−ＥＭＬ２１および２２を特に区別する必要がない場合にはＮＭＳと総称することとする。
＜ＮＭＳの構成＞
図２は，ＮＭＳ（ＮＭＳ−ＮＭＬ１ならびにＮＭＳ−ＥＭＬ２１および２２）の詳細な構成を示すブロック図である。ＮＭＳは，制御部１１，情報管理部１２，ＧＵＩ部１３，データベース１４，送信部１５，および受信部１６を有する。情報管理部１２は，設定元情報管理部１２ａおよび権限委譲情報管理部１２ｂを有する。
ネットワーク管理者（またはオペレータ，保守運用者）は，ＮＥのクロスコネクトの設定等を，ＮＭＳのＭＭＩ（Ｍａｎ−Ｍａｃｈｉｎｅ  Ｉｎｔｅｒｆａｃｅ），特にＧＵＩ（Ｇｒａｐｈｉｃａｌ  Ｕｓｅｒ  Ｉｎｔｅｒｆａｃｅ）を使用して行うこともできるし，コマンド（たとえばＴＬ−１コマンド）を入力装置により直接入力して行うこともできる。
ＧＵＩ部１３は，たとえばＣＲＴディスプレイ，液晶ディスプレイ等の表示装置とマウス等の入力装置とを有し，制御部１１の制御の下，クロスコネクトの設定等を行うためのＧＵＩをネットワーク管理者に提供する。図３は，ＧＵＩ部１３により表示されるクロスコネクトの操作画面の一例を示している。
このＧＵＩでは，ＮＥ４１〜４４におけるクロスコネクトを行うクロスコネクト部が模式的に示され，マウス等の入力装置によってクロスコネクトの設定等が容易に行えるようになっている。
図３では，３つの伝送路Ｌ２〜Ｌ４が接続されたＮＥ４２（図１参照）のクロスコネクト部が例として示されている。左端の端子１−１−１−１−１〜１−１−１−３−２は，ＮＥ４１と４２との間の伝送路Ｌ２に入出力される信号のＡＩＤ（Ａｃｃｅｓｓ  Ｉｄｅｎｔｉｆｉｅｒ）に対応し，右端の端子２−１−１−１−１〜２−１−１−３−３は，ＮＥ４２と４３との間の伝送路Ｌ３に入出力される信号のＡＩＤに対応し，下端の端子３−１−１−１−１〜３−１−１−４−１は，ＮＥ４２の図１における下方に接続された伝送路Ｌ４に入出力される信号のＡＩＤに対応する。
各端子（すなわちＡＩＤ）は，ＷＤＭシステムでは各波長の光信号に対応し，ＳＯＮＥＴ／ＳＤＨシステムでは各タイムスロットの電気信号に対応する。
２つの端子（ＡＩＤ）を結ぶ実線の矢印がクロスコネクトを示している。図３では，一例として入力側ＡＩＤ１−１−１−１−１から出力側ＡＩＤ３−１−１−１−１，入力側ＡＩＤ１−１−１−２−１から出力側ＡＩＤ３−１−１−２−１，入力側ＡＩＤ１−１−１−３−１から出力側ＡＩＤ３−１−１−３−１への３つのクロスコネクトが設定されている。なお，一方向のクロスコネクトが図示されているが，双方向のクロスコネクトを設定することもでき，この場合には，双方向の矢印によりクロスコネクトが表示される。
このＧＵＩでは，クロスコネクトが未設定の２つのＡＩＤ（端子）間をカーソル（ポインタ）１３４により接続することによって，２つのＡＩＤ間のクロスコネクトを新規に設定することができる。また，すでに設定されたクロスコネクトのＡＩＤを，カーソル１３４を使用して他のＡＩＤに変更することにより，クロスコネクトの設定変更を行うことができる。すでに設定されたクロスコネクトをカーソル１３４により選択し，図示しないポップアップメニュー等にある「削除」（または「解除」）を選択することによって設定されたクロスコネクトの設定削除（設定解除）を行うことができる。
さらに，設定されたクロスコネクトの１つをカーソル１３４により選択することにより，クロスコネクトの設定検索（設定確認）を行うことができ，この設定検索により，選択されたクロスコネクトの情報がウィンドウ（またはダイアログボックス）１３５に表示される。
ウィンドウ１３５の上段には，クロスコネクトの接続関係（すなわち入力側ＡＩＤと出力側ＡＩＤ）が表示される。中段には，クロスコネクトされる信号のタイプ（ＡＩＤＴＹＰＥ）が表示される。下段には，新規設定または設定変更によりこのクロスコネクトを設定したＮＭＳおよび設定年月日が表示される。図示の例では，ＡＩＤ１−１−１−２−１（ＦｒｏｍＡＩＤ）からＡＩＤ３−１−１−２−１（ＴｏＡＩＤ）へのクロスコネクトがＮＭＳ−ＮＭＬ１により２００２年５月２９日に設定（新規設定または設定変更）されたことが示されている。
図２に戻って，制御部１１は，情報管理部１２，ＧＵＩ部１３，データベース１４等のＮＭＳの構成要素を制御する。また，制御部１１は，ＧＵＩ部１３の操作や他のＮＭＳからのコマンドまたはレスポンスに基づいて，データベース１４に記憶されたクロスコネクト管理テーブルを更新する。
データベース１４は，クロスコネクト管理テーブルを記憶する。図４は，データベース１４に記憶されたクロスコネクト管理テーブルの一例を示している。各行（横方向の１行）のデータが１つ１つのクロスコネクトの設定内容を表したクロスコネクト管理データである。
「ｔｉｄ」（Ｔａｒｇｅｔ  ＩＤ）は，クロスコネクトが設定されたＮＥの識別子（ＩＤ）である。「ａｉｄｔｙｐｅ」（Ａｃｃｅｓｓ  Ｉｄｅｎｔｉｆｉｅｒ  Ｔｙｐｅ）は，クロスコネクトされる信号のレベルのタイプであり，たとえばＶＣ４，ＶＣ１２，ＶＣ４４Ｃ等である。「ｆｒｏｍＡＩＤ」は，クロスコネクトされる信号の入力側ＡＩＤ（Ａｃｃｅｓｓ  Ｉｄｅｎｔｉｆｉｅｒ）であり，「ｔｏＡＩＤ」は，クロスコネクトされる信号の出力側ＡＩＤである。例えば，第１行のクロスコネクト管理データは，ＮＥ＃１（図１ではＮＥ４１）にＡＩＤ１−１−１−１−１からＡＩＤ３−１−１−１−１へのクロスコネクトが設定され，そのＡＩＤタイプはＶＣ１２であることを示している。
「ｓｙｓｔｅｍＮＭ」（ＮＭＳ−ＮＭＬ１）および「ｓｙｓｔｅｍＥＭ」（ＮＭＳ−ＥＭＬ２１または２２）は，このクロスコネクト管理データを保持するＮＭＳを示し，値として１を有するＮＭＳがこのクロスコネクト管理データを保持している。図４では，「ｓｙｓｔｅｍＮＭ」に１が設定されているので，このクロスコネクト管理データ（テーブル）はＮＭＳ−ＮＭＬ１により保持されていることとなる。
「ｓｏｕｒｃｅＮＭ」（ＮＭＳ−ＮＭＬ１）および「ｓｏｕｒｃｅＥＭ」（ＮＭＳ−ＥＭＬ２１または２２）は，新規設定または設定変更によりこのクロスコネクトを設定したＮＭＳを示し，値として１を有するＮＭＳがこのクロスコネクトを設定したＮＭＳであることを示している。たとえば，第１行のクロスコネクト管理データでは，「ｓｏｕｒｃｅＮＭ」が１であるので，ＮＭＳ−ＮＭＬ１がこのクロスコネクトを設定したこととなる。第２行のクロスコネクト管理データでは，「ｓｏｕｒｃｅＥＭ」が１であり，このクロスコネクト管理データはＮＥ＃２（図１ではＮＥ４２）のものであることから，ＮＥ＃２を管理するＮＭＳ−ＥＬＭ２１がこのクロスコネクトを設定したこととなる。
なお，「ｓｏｕｒｃｅＮＭ」および「ｓｏｕｒｃｅＥＭ」の双方が０であるクロスコネクトは，ＬＣＴにより設定されたクロスコネクトである。
「ｐｅｒｍＥＭ」は，クロスコネクトの設定変更の権限が上位のＮＭＳ−ＮＭＬ１から下位のＮＭＳ−ＥＭＬ２１または２２に委譲されているかどうかを示すフラグであり，委譲された場合に１に設定され，委譲されていない場合に０に設定される。前述したように，原則として，上位のＮＭＳ−ＮＭＬ１が設定したクロスコネクトを，下位のＮＭＳ−ＥＭＬ２１または２２が設定変更することはできないが，権限が委譲されることにより，下位のＮＭＳ−ＥＭＬ２１または２２は設定変更を行うことができるようになる。
たとえば，下から２行目のデータの「ｐｅｒｍＥＭ」は１に設定されているので，ＮＥ＃３（図１のＮＥ４３）におけるｆｒｏｍＡＩＤ１−４およびｔｏＡＩＤ２−４のクロスコネクトの設定変更権限は，ＮＥ＃３を管理するＮＭＳ−ＥＭＬ２２に委譲されている。したがって，上位のＮＭＳ−ＮＭＬ１が設定したこのクロスコネクトを，ＮＭＳ−ＥＭＬ２２は設定変更することができる。
「ｐｅｒｍＬＣＴ」は，クロスコネクトの設定変更の権限がＮＭＳ−ＮＭＬ１またはＮＭＳ−ＥＭＬ２１もしくは２２からＬＣＴ３１〜３４に委譲されているかどうかを示すフラグであり，委譲された場合に１に設定され，委譲されていない場合に０に設定される。原則として，ＮＭＳ−ＮＭＬ１またはＮＭＳ−ＥＭＬ２１もしくは２２が設定したクロスコネクトを，ＬＣＴ３１〜３４が設定変更することはできないが，権限が委譲されることにより，ＬＣＴ３１〜３４は設定変更を行うことができるようになる。
なお，ｐｅｒｍＥＭおよびｐｅｒｍＬＣＴは，設定変更の権限の委譲に加えて，設定削除の権限の委譲を含んでいてもよい。
「ａｌｌｏｗＮＥ」は，前述したように，ＮＥ単位でクロスコネクトの設定変更の権限が一括委譲されているかどうかを示すフラグであり，一括委譲された場合に１に設定され，委譲されていない場合に０に設定される。なお，ｐｅｒｍＥＭ等と同様に，ａｌｌｏｗＮＥは，設定変更の権限の一括委譲に加えて，設定削除の権限の一括委譲を含んでいてもよい。
このクロスコネクト管理データは，ＮＭＳがクロスコネクトの新規設定，設定変更，または設定削除を行った際にＮＭＳが作成することもできるし，後述するようにＮＥのデータベース８４（図５参照）に作成されたクロスコネクト設定テーブル（Ｐｒｏｖｉｓｉｏｎｉｎｇ  Ｄａｔａ）（図６参照）を，ＮＭＳが検索コマンドにより参照することにより作成することもできる。
図２に戻って，情報管理部１２の設定元情報管理部１２ａは，ＮＥに送信されるクロスコネクトの設定等のコマンドに，クロスコネクトの設定等を行うＮＭＳ（すなわちコマンド送信元）の種別（ＮＭＳ−ＮＭＬかＮＭＳ−ＥＭＬかの種別）を表すソース情報を，コマンドのソースフィールドに付加する。ソース情報を付加されたコマンドは送信部１５に与えられる。送信部１５は，ソース情報を付加されたコマンドを，ＤＣＮを介して，設定対象のＮＥへ送信する。
たとえば，ネットワーク管理者がＮＭＳ−ＮＭＬ１を使用してＮＥ４２のクロスコネクトの設定等を行うと，コマンドのソースフィールドには，ＮＭＳ−ＮＭＬの種別を表す情報が付加される。そして，コマンドは，ＮＭＳ−ＮＭＬ１からＤＣＮ５，ＮＭＳ−ＥＭＬ２１，ＤＣＮ６１およびＬＣＴ３２を介してＮＥ４２に送信される。
コマンドのフォーマットの一例を以下に示す。このフォーマットは，ＴＬ−１コマンドのフォーマットを示している。なお，このフォーマットは，コマンドの一部を示すものであり，コマンドには，図９に示すように，上述した設定元情報管理部１２ａによりソース情報が付加されるソースフィールド，後述する権限委譲情報管理部１２ｂにより権限委譲情報が付加される許可フィールド（ｐｅｒｍｉｓｓｉｏｎ  ｆｉｅｌｄ）が設けられる。
（１）クロスコネクトの設定コマンドのフォーマット
2004051928.tif 000003
（２）クロスコネクトの変更コマンドのフォーマット
2004051928.tif 000004
（３）クロスコネクトの削除コマンドのフォーマット
2004051928.tif 000005
（４）クロスコネクトの検索コマンドのフォーマット
2004051928.tif 000006
ここで，「ＥＮＴ−ＣＲＳ」（Ｅｎｔｅｒ  Ｃｒｏｓｓ−Ｃｏｎｎｅｃｔ）はクロスコネクトの設定コマンド，「ＥＤ−ＣＲＳ」（Ｅｄｉｔ  Ｃｒｏｓｓ−Ｃｏｎｎｅｃｔ）はクロスコネクトの変更コマンド，「ＤＬＴ−ＣＲＳ」（Ｄｅｌｅｔｅ  Ｃｒｏｓｓ−Ｃｏｎｎｅｃｔ）はクロスコネクトの削除コマンド，「ＲＴＲＶ−ＣＲＳ」（Ｒｅｔｒｉｅｖｅ  Ｃｒｏｓｓ−Ｃｏｎｎｅｃｔ）はクロスコネクトの検索コマンドである。
＜ＡＩＤＴＹＰＥ＞以降の文字列は各コマンドのパラメータである。「ＡＩＤＴＹＰＥ」は図４のクロスコネクト管理テーブルの「ａｉｄｔｙｐｅ」と同じ意味であり，「ＴＩＤ」はコマンドの送信先のＮＥの識別子（ＩＤ）である。「ＦＲＯＭ  ＡＩＤ」は，クロスコネクトされる信号の入力側ＡＩＤであり，「ＴＯ  ＡＩＤ」は，クロスコネクトされる信号の出力側ＡＩＤである。「ＣＴＡＧ」は，関連タグ（Ｃｏｒｒｅｌａｔｉｏｎ  Ｔａｇ）であり，ＮＥは，ＮＭＳにレスポンスを返信する場合に，どのコマンドに対するレスポンスであるかをこの関連タグにより特定する。
権限委譲管理部１２ｂは，権限を他のＮＭＳまたはＬＣＴに委譲する場合に，図９に示すコマンドの許可フィールドに，権限の委譲先のＮＭＳまたはＬＣＴを示す権限委譲情報（例えば識別子）を書き込む。ネットワーク管理者は，ＧＵＩ部１３によりクロスコネクトを新規設定する場合または設定変更する場合に，その新規設定または設定変更されるクロスコネクトに対して他のＮＭＳまたはＬＣＴに権限を委譲することを指定する。
この指定は，ＧＵＩ１３から制御部１１を介して権限委譲情報管理部１２ｂに与えられ，権限委譲情報管理部１２ｂは，与えられた指定に基づいて，設定コマンドまたは変更コマンドの許可フィールドに委譲先のＮＭＳまたはＬＣＴを示す情報を付加する。このコマンドは，送信部１５からＮＥに送信される。
また，ＮＥ単位でクロスコネクトの設定変更の権限を一括委譲する場合に，権限委譲管理部１２ｂは，制御部８１の指示により，設定変更許可コマンドを送信する。
受信部１６は，コマンドを受信したＮＥから返信されたレスポンスを受信する。レスポンスには，ＮＥがコマンドの実行完了レスポンスと，コマンドの実行権限がないために実行できないことを示す実行不可（ＮＧ）レスポンスとが含まれる。
なお，ＬＣＴ３１〜３４も，図２に示すＮＭＳとほぼ同様の構成を有し，クロスコネクトの設定コマンド，変更コマンド，削除コマンド，および検索コマンドをＮＥに送信し，ＮＥのクロスコネクトの設定等を行う。
＜ＮＥの構成＞
図５は，ＮＥの詳細な構成を示すブロック図である。ＮＥは，制御部８１，情報管理部８２，クロスコネクト部８３，データベース８４，受信部８５，および送信部８６を有する。情報管理部８２は，設定元情報管理部８２ａおよび権限委譲情報管理部８２ｂを有する。
クロスコネクト部８３は，伝送路に接続され，制御部８１により設定されたクロスコネクトに従って入力されたデータ信号をクロスコネクトして出力する。
制御部８１は，受信部８５により受信されたコマンドに基づいてクロスコネクト部８３にクロスコネクトを設定するとともに，設定されたクロスコネクトの内容をデータベース８４に格納する。また，制御部８１は，クロスコネクトの設定後，レスポンスを作成し，情報管理部８２を介して送信部８６から設定元のＮＭＳまたはＬＣＴに送信する。
データベース８４は，ＮＥに設定されたクロスコネクトの内容を表すクロスコネクト設定データ（Ｐｒｏｖｉｓｉｏｎｉｎｇ  Ｄａｔａ）からなるクロスコネクト設定テーブルを記憶する。図６は，データベース８４に記憶されたクロスコネクト設定テーブルの一例を示している。
「ｔｉｄ」，「ａｉｄｔｙｐｅ」，「ｆｒｏｍＡＩＤ」，「ｔｏＡＩＤ」，「ｓｏｕｒｃｅＮＭ」，「ｓｏｕｒｃｅＥＭ」，「ｐｅｒｍＥＭ」，「ｐｅｒｍＬＣＴ」，および「ａｌｌｏｗＮＥ」の意味は，前述したＮＭＳのクロスコネクト管理テーブルのものと同じである。
設定元情報管理部８２ａおよび権限委譲情報管理部８２ｂは，クロスコネクトのソース情報および権限委譲情報をそれぞれ管理し，クロスコネクトの設定変更または設定削除を行う場合に，コマンドのソース情報，権限委譲情報等に基づいて，クロスコネクトの設定変更または設定削除が可能かどうかを判断する。
受信部８５は，ＮＭＳからのコマンドを受信し，受信したコマンドを情報管理部８２に与える。送信部８６は，コマンドに対するレスポンスをＮＭＳに送信する。
以下では，このような構成を有するＮＭＳおよびＮＥによるクロスコネクトの新規設定，設定変更，設定削除，および設定検索時の動作について説明する。
＜クロスコネクトの新規設定時の動作＞
ＮＭＳのＧＵＩ部１３によりクロスコネクトが新規設定されると，制御部１１は，設定コマンドを作成し，作成した設定コマンドを情報管理部１２の設定元情報管理部１２ａに与える。
設定元情報管理部１２ａは，新規設定のソース情報を設定コマンドのソースフィールドに付加した後，このコマンドを，送信部１５を介して設定先のＮＥに送信する。
ＮＥに送信された設定コマンドは，ＮＥの受信部８５により受信され，受信部８５から情報管理部８２を介して制御部８１に与えられる。制御部８１は，設定コマンドの内容に基づいて，クロスコネクト部８３にクロスコネクトを設定するとともに，データベース８４のクロスコネクト設定テーブルに，設定したクロスコネクトに関するクロスコネクト設定データを登録（追加）する。
クロスコネクトの設定が完了すると，制御部８１は，情報管理部８２および送信部８６を介して設定完了レスポンスを設定元のＮＭＳに返信する。設定完了レスポンスは，設定元ＮＭＳの受信部１６および情報管理部１２を介して制御部１１に与えられる。制御部１１は，ＧＵＩ部１３を介してネットワーク管理者に設定完了を通知する。
クロスコネクトの新規設定元がＬＣＴの場合も同様の処理が実行される。
なお，制御部８１は，クロスコネクトの新規設定を行うことができない場合には，データベース８４にクロスコネクト設定データを登録せず，また，設定不可レスポンスを設定元のＮＭＳに返信する。
設定元のＮＭＳの制御部１１は，設定コマンドの送信時または設定完了コマンドの受信時に，データベース１４に記憶されたクロスコネクト管理テーブルに，新規設定されたクロスコネクトに関するクロスコネクト管理データを追加し，クロスコネクト管理テーブルを作成してもよい。
設定コマンドおよびレスポンス（設定完了レスポンスまたは設定不可レスポンス）は，送信先のＮＥを管理する他のＮＭＳおよびＬＣＴにも送信されてもよい。例えば，ＮＭＳ−ＮＭＬ１がＮＥ４１に設定コマンドを送信した場合に，ＮＥ４１を管理するＮＭＳ−ＥＭＬ２１およびＬＣＴ３１にも設定コマンド等が送信され，ＮＭＳ−ＥＭＬ２１がＮＥ４２に設定コマンドを送信した場合には，この設定コマンド等は，ＮＥ４２を管理するＮＭＳ−ＮＭＬ１およびＬＣＴ３２にも送信される。そして，これら他のＮＭＳおよびＬＣＴは，設定元ＮＭＳと同様に，受信した設定コマンド等に基づいて，自己のデータベースに記憶されたクロスコネクト管理テーブルに，新規設定されたクロスコネクトのクロスコネクト管理データを付加してもよい。
＜クロスコネクトの設定変更時の動作＞
図７は，ネットワーク管理者がクロスコネクトの設定変更をＮＭＳ（またはＬＣＴ）に指示した場合の設定変更元のＮＭＳ（またはＬＣＴ）の処理の流れを示すフローチャートである。
ネットワーク管理者が，図３に示すＧＵＩを使用して，すでに設定されたクロスコネクトを選択し，選択したクロスコネクトの設定変更を操作すると（Ｓ１），ＮＭＳの制御部１１は，選択されたクロスコネクトのクロスコネクト管理データをデータベース１４から読み出し，読み出したクロスコネクト管理データのａｌｌｏｗＮＥが１であるかどうかを判断する（Ｓ２）。
ａｌｌｏｗＮＥが１である場合，すなわちそのＮＥのクロスコネクトの設定変更が一括して委譲されている場合には（Ｓ２でＹ），ＮＭＳがＮＭＳ−ＮＭＬ１またはＮＭＳ−ＥＭＬ２１もしくは２２（またはＬＣＴ３１〜３４）であっても設定変更が可能である。したがって，この場合には，変更コマンドが制御部１１により作成され，作成された変更コマンドは，設定元情報管理部１２ａによりソース情報を付加された後，コマンド送信部１５からＮＥに送信される（Ｓ１０）。
一方，ａｌｌｏｗＮＥが１でない場合には（Ｓ２でＮ），制御部１１は，ｓｏｕｒｃｅＮＭが１であるかどうかが判断する（Ｓ３）。ｓｏｕｒｃｅＮＭが１である場合には（Ｓ３でＹ），そのクロスコネクトはＮＭＳ−ＮＭＬ１により設定されているので，制御部１１は，設定変更元ＮＭＳ（すなわち制御部１１が属するＮＭＳ）がＮＭＳ−ＮＭＬ１であるかどうか，すなわちｓｙｓｔｅｍＮＭが１であるかどうかを判断する（Ｓ６）。
ｓｙｓｔｅｍＮＭが１である場合には（Ｓ６でＹ），設定変更元ＮＭＳが上位のＮＭＳ−ＮＭＬ１であり，該ＮＭＳは設定変更権限を有するので，制御部１１は，変更コマンドを作成し送信する（Ｓ１０）。
ｓｏｕｒｃｅＮＭが１でない場合には（Ｓ６でＮ），制御部１１は，ｓｙｓｔｅｍＥＮが１であるかどうかを判断する（Ｓ７）。ｓｙｓｔｅｍＥＭが１である場合には（Ｓ７でＹ），クロスコネクトの設定元が上位のＮＭＳ−ＮＭＬ１であり，設定変更元ＮＭＳが下位のＮＭＳ−ＥＭＬ２１または２２であるので，設定変更の権限が委譲されているかどうか，すなわちｐｅｒｍＥＭが１であるかどうかを制御部１１は判断する（Ｓ１１）。
ｐｅｒｍＥＭが１である場合には（Ｓ１１でＹ），ＮＭＳ−ＥＭＬに設定変更権限が委譲されているので，ＮＭＳ−ＥＭＬは設定変更が可能であり，したがって制御部１１（すなわちＮＭＳ−ＥＭＬの制御部１１）は変更コマンドを送信する（Ｓ１０）。
一方，ｐｅｒｍＥＭが１でない場合（すなわち０である場合）には（Ｓ１１でＮ），制御部１１（すなわちＮＭＳ−ＥＭＬの制御部１１）は，警告メッセージをＧＵＩ部１３に出力し，ネットワーク管理者に設定変更ができないことを通知し（Ｓ１２），変更コマンドを送信しない。
ステップＳ７において，ｓｙｓｔｅｍＥＭが１でない場合，すなわち設定変更元がＬＣＴ３１〜３４のいずれかである場合には（Ｓ７でＮ），制御部１１（すなわちＬＣＴの制御部）は，ｐｅｒｍＬＣＴが１であるかどうか，すなわちＬＣＴに設定変更権限が委譲されているかどうかを判断する（Ｓ８）。
設定変更権限がＬＣＴに委譲されている場合には（Ｓ８でＹ），ＬＣＴ（すなわちＬＣＴの制御部１１）は変更コマンドを送信し，設定変更権限がＬＣＴに委譲されていない場合には（Ｓ８でＮ），ＬＣＴは警告メッセージをネットワーク管理者に出力し（Ｓ９），変更コマンドを送信しない。
ステップＳ３において，ｓｏｕｒｃｅＮＭが１でない場合，すなわち設定変更元ＮＭＳがＮＭＳ−ＮＭＬ１でない場合には（Ｓ３でＮ），制御部１１は，ｓｏｕｒｃｅＥＭが１であるかどうか，すなわち設定元ＮＭＳがＮＭＳ−ＥＭＬであるかどうかを判断する（Ｓ４）。
ｓｏｕｒｃｅＥＭが１である場合，すなわち，設定元ＮＭＳがＮＭＳ−ＥＭＬである場合には（Ｓ４でＹ），制御部１１は，ｓｙｓｔｅｍＮＭまたはｓｙｓｔｅｍＥＭが１であるかどうか，すなわち，制御部１１の属するＮＭＳ（設定変更元ＮＭＳ）がＮＭＳ−ＮＭＬ１またはＮＭＳ−ＥＭＬ２１もしくは２２であるかどうかを判断する（Ｓ１４）。
制御部１１の属するＮＭＳ（設定変更元ＮＭＳ）がＮＭＳ−ＮＭＬ１またはＮＭＳ−ＥＭＬ２１もしくは２２である場合には（Ｓ１４），該ＮＭＳは設定変更権限を有するので，変更コマンドを送信する（Ｓ１７）。
一方，制御部１１の属するＮＭＳがＮＭＳ−ＮＭＬ１またはＮＭＳ−ＥＭＬ２１もしくは２２のいずれでもない場合，すなわちＬＣＴである場合には（Ｓ１４でＮ），ｐｅｒｍＬＣＴが１であるかどうか，すなわちＬＣＴに権限が委譲されているかどうかを判断する（Ｓ１５）。権限が委譲されている場合には（Ｓ１５でＹ），ＬＣＴは変更コマンドを送信し，権限が委譲されていない場合には（Ｓ１５でＮ），ＬＣＴは警告メッセージをネットワーク管理者に出力し，変更コマンドを送信しない（Ｓ１６）。
一方，ステップＳ４でｓｏｕｒｃｅＥＭが１でない場合（すなわち０である場合）には（Ｓ４でＮ），変更変更対象のクロスコネクトはＬＣＴにより設定されたものであるので，ＮＭＳ−ＮＭＬ１，ＮＭＳ−ＥＭＬ２１および２２，ならびにＬＣＴのいずれも設定変更が可能であるので，制御部１１は変更コマンドを送信する（Ｓ５）。
このように，設定変更元のＮＭＳまたはＬＣＴにおいて，クロスコネクトの変更コマンド送信時に，そのクロスコネクトの変更が可能であるかどうかが権限に基づいて判断される。したがって，権限を有しないＮＭＳまたはＬＣＴにより，クロスコネクトが不用意に変更されることはなく，障害の発生を回避することができる。
図８は，クロスコネクトの設定変更を行うＮＥの処理の流れを示すフローチャートである。
ＮＥの情報管理部８２が変更コマンドを受信部８５から受信すると（Ｓ２１），情報管理部８２は，該変更コマンドの対象となるクロスコネクトについてのクロスコネクト設定データを，制御部８１を介してデータベース８４から読み出し，読み出したクロスコネクト設定データのａｌｌｏｗＮＥが１であるかどうかを判断する（Ｓ２２）。
ａｌｌｏｗＮＥが１である場合，すなわちそのクロスコネクトの設定変更が一括して委譲されている場合には（Ｓ２２でＹ），いずれのＮＭＳ（およびＬＣＴ）も設定変更が可能である。したがって，この場合には，情報管理部８２は，制御部８１にクロスコネクトの設定変更が可能であることを通知する。
この通知を受けた制御部８１は，変更コマンドの変更内容に従ってクロスコネクト部８３の設定変更を行うとともに，データベース８４のクロスコネクト設定テーブルを設定変更後のクロスコネクトの内容に更新する（Ｓ３０）。また，制御部８１は，設定変更完了レスポンスを設定元ＮＭＳ（またはＬＣＴ）に返信する（Ｓ３０）。
一方，ａｌｌｏｗＮＥが１でない場合には（Ｓ２２でＮ），制御部１１は，ｓｏｕｒｃｅＮＭが１であるかどうかを判断する（Ｓ２３）。ｓｏｕｒｃｅＮＭが１である場合，すなわちそのクロスコネクトがＮＭＳ−ＮＭＬ１により設定されている場合には（Ｓ２３でＹ），情報管理部８２は，変更コマンドに含まれるソース情報に基づいて，設定変更元ＮＭＳ（すなわち変更コマンド送信元ＮＭＳ）がＮＭＳ−ＮＭＬ１であるかどうかを判断する（Ｓ２６）。
設定変更元ＮＭＳがＮＭＳ−ＮＭＬ１である場合には（Ｓ６でＹ），設定元と変更元が同じＮＭＳであり，該ＮＭＳは設定変更権限を有するので，情報管理部８２は，前述したステップＳ３０の設定変更処理を実行する。
設定変更元がＮＭＳ−ＥＭＬである場合には（Ｓ２６でＮ，Ｓ２７でＹ），情報管理部８２は，クロスコネクトの設定元ＮＭＳが上位のＮＭＳ−ＮＭＬ１であり，設定変更元ＮＭＳが下位のＮＭＳ−ＥＭＬであるので，設定変更の権限が下位のＮＭＳ−ＥＬＭに委譲されているかどうか，すなわちｐｅｒｍＥＭが１であるかどうかを情報管理部８２は判断する（Ｓ３１）。
ここで，ｐｅｒｍＥＭが１である場合には，データベース８４に記憶されたクロスコネクト管理データのｐｅｒｍＥＭが１である場合と，受信した変更コマンドの権限委譲フィールドに，ＮＭＳ−ＥＭＬへの権限委譲が書き込まれる場合とがある。
ｐｅｒｍＥＭが１である場合には（Ｓ３１でＹ），設定変更元のＮＭＳ−ＥＭＬに設定変更権限が委譲されているので，設定変更が可能である。したがって，情報管理部８２は，ステップＳ３０の設定変更処理を実行する。一方，ｐｅｒｍＥＭが１でない場合（すなわち０である場合）には（Ｓ３１でＮ），設定変更ができないので，情報管理部８２は，拒絶処理として，設定変更処理を行わす，設定変更不可レスポンスを設定元ＮＭＳ（またはＬＣＴ）に送信する（Ｓ３２）。これにより，データベース８１のクロスコネクト設定テーブルも更新されない。
ステップＳ２７において，ｓｙｓｔｅｍＥＭが１でない場合，すなわち変更対象のクロスコネクトをＬＣＴ３１〜３４が設定したものである場合には（Ｓ７でＮ），情報管理部８２は，ｐｅｒｍＬＣＴが１であるかどうか，すなわちＬＣＴに設定変更権限が委譲されているかどうかを判断する（Ｓ２８）。
ここで，ｐｅｒｍＬＣＴが１である場合には，データベース８４に記憶されたクロスコネクト管理データのｐｅｒｍＬＣＴが１である場合と，受信した変更コマンドの権限委譲フィールドに，ＬＣＴへの権限委譲が書き込まれる場合とがある。
設定変更権限がＬＣＴに委譲されている場合には（Ｓ２８でＹ），情報管理部８２はステップＳ３０と同じ設定変更処理を実行し（Ｓ３３），設定変更権限がＬＣＴに委譲されていない場合には（Ｓ２８でＮ），情報管理部８２はステップＳ３２と同じ拒絶処理を実行する（Ｓ２９）。
ステップＳ２３において，ｓｏｕｒｃｅＮＭが１でない場合，すなわち設定変更元ＮＭＳがＮＭＳ−ＮＭＬ１でない場合には（Ｓ３でＮ），情報管理部８２は，ｓｏｕｒｃｅＥＭが１であるかどうか，すなわち設定元ＮＭＳがＮＭＳ−ＥＭＬであるかどうかを判断する（Ｓ２４）。
ｓｏｕｒｃｅＥＭが１である場合，すなわち，設定元ＮＭＳがＮＭＳ−ＥＭＬである場合には（Ｓ２４でＹ），情報管理部８２は，設定変更元がＮＭＳ−ＮＭＬまたはＮＭＳ−ＥＭＬであるかどうかを判断する（Ｓ３４）。
設定変更元ＮＭＳがＮＭＳ−ＮＭＬ１またはＮＭＳ−ＥＭＬ２１もしくは２２である場合には（Ｓ３４），該ＮＭＳは設定変更権限を有するので，情報管理部８２は，ステップＳ３０と同じ設定変更処理を実行する（Ｓ３７）。
一方，設定元がＮＭＳ−ＮＭＬ１またはＮＭＳ−ＥＭＬ２１もしくは２２のいずれでもない場合，すなわちＬＣＴである場合には（Ｓ３４でＮ），ｐｅｒｍＬＣＴが１であるかどうか，すなわちＬＣＴに設定変更権限が委譲されているかどうかを判断する（Ｓ３５）。権限が委譲されている場合には（Ｓ３５でＹ），情報管理部８２は設定変更処理を実行し（Ｓ３７），権限が委譲されていない場合には（Ｓ３５でＮ），情報管理部８２は拒絶処理を実行する（Ｓ３６）。
一方，ステップＳ２４でｓｏｕｒｃｅＥＭが１でない場合（すなわち０である場合）には（Ｓ２４でＮ），変更変更対象のクロスコネクトはＬＣＴにより設定されたものであるので，ＮＭＳ−ＮＭＬ１，ＮＭＳ−ＥＭＬ２１および２２，ならびにＬＣＴのいずれも設定変更が可能であるので，情報管理部８２は設定変更処理を実行する（Ｓ２５）。
設定変更元のＮＭＳは，変更コマンドの送信の際または変更完了レスポンスの受信の際に自己のデータベースに記憶されたクロスコネクト管理データを変更後の内容に更新してもよい。
また，設定変更元から送信される変更コマンドおよびＮＥからのレスポンスは，新規設定の場合と同様に，設定変更対象のＮＥを管理する他のＮＭＳおよびＬＣＴに送信されてもよい。これにより，他のＮＭＳおよびＬＣＴは，自己のデータベースに記憶されたクロスコネクト管理テーブルの更新を行ってもよい。
このように，ＮＥにおいても変更の権限の有無に基づいてクロスコネクトの変更を行うので，権限を有しないＮＭＳまたはＬＣＴによりクロスコネクトが変更されることを防止することができ，不意の回線断等の障害を未然に防止することができる。
＜クロスコネクトの設定削除時の動作＞
設定されたクロスコネクトの設定削除を行う場合のＮＭＳ（ＬＣＴ）およびＮＥの処理は，コマンドが削除コマンドとなり，ＮＥでの処理が設定削除となる点を除き，上記設定変更と同様であるので，ここではその説明を省略する。
＜クロスコネクトの検索時の動作＞
ＮＭＳのＧＵＩ部１３によりクロスコネクトの設定検索が指定されると，制御部１１は，検索コマンドを作成し，作成した検索コマンドを情報管理部１２を介して送信部１５からＮＥに送信する。
ＮＥは，検索コマンドを受信すると，データベース８４のクロスコネクト設定テーブルからクロスコネクト設定データを読み出し，コマンド送信元に返信する。これを受信したＮＭＳは，受信したクロスコネクト設定データに基づいてクロスコネクトの設定状態ならびにその設定元および権限委譲の状況をネットワーク管理者（保守運用担当者）にＧＵＩを介して通知する。
なお，ＮＭＳは，ＮＥに検索コマンドを送信することなく，自己のデータベース１４に記憶されているクロスコネクト管理テーブルから必要なクロスコネクトの情報を読み出してネットワーク管理者に通知することもできる。
＜権限委譲情報の付加＞
クロスコネクトの新規設定時または設定変更時に，ネットワーク管理者がＮＭＳのＧＵＩ部１３を使用して権限の委譲を指定すると，制御部１１は，設定または変更に係るクロスコネクトのクロスコネクト管理データのＰｅｒｍＥＭまたはｐｅｒｍＬＣＴの値を１に設定するとともに，権限委譲の指定を権限委譲情報管理部１２ｂに与える。
権限委譲情報管理部１２ｂは，与えられた指定に基づいて，送信される設定コマンドまたは変更コマンドの許可フィールドに委譲先のＮＭＳまたはＬＣＴを示す情報を書き込んだ後，送信部１５を介して設定コマンドまたは変更コマンドを送信する。
設定コマンドまたは変更コマンドを受信したＮＥは，上述したように，設定コマンドまたは変更コマンドに基づいて，クロスコネクトの設定または変更を行うとともに，クロスコネクト設定データのｐｅｒｍＥＭまたはｐｅｒｍＬＣＴの値を１に設定する。
また，設定コマンドまたは変更コマンドは，設定元ＮＭＳ以外の，該ＮＥを管理する他のＮＭＳまたはＬＣＴにも受信され，他のＮＭＳまたはＬＣＴも，自己のクロスコネクト管理データのｐｅｒｍＥＭまたはｐｅｒｍＬＣＴの値を１に設定する。
＜一括委譲コマンド，一括禁止コマンド，権限委譲状況検索コマンドの送信＞
ネットワーク管理者が，ＮＭＳのＧＵＩ部１３を使用して権限の一括委譲を指定すると，制御部１１は，指定されたＮＥに設定されたすべてのクロスコネクトについてのクロスコネクト管理データのａｌｌｏｗＮＥの値を１に設定するとともに，１ＮＥに一括委譲コマンドを送信する。
一括委譲コマンドを受信したＮＥは，自己のクロスコネクト設定テーブルのａｌｌｏｗＮＥの値を１に設定する。
また，一括委譲コマンドは，送信元ＮＭＳ以外の，該ＮＥを管理する他のＮＭＳまたはＬＣＴにも受信され，他のＮＭＳまたはＬＣＴも，自己のクロスコネクト管理データのａｌｌｏｗＮＥの値を１に設定する。
一方，上位のＮＭＳは，下位のＮＭＳまたはＬＣＴに対して，一旦，一括委譲した権限を解除して，一括禁止することもできる。
ネットワーク管理者が，ＮＭＳのＧＵＩ部１３を使用して権限の一括禁止を指定すると，制御部１１は，指定されたＮＥに設定されたすべてのクロスコネクトについてのクロスコネクト管理データのａｌｌｏｗＮＥの値を０に設定するとともに，ＮＥに一括禁止コマンドを送信する。
一括禁止コマンドを受信したＮＥは，自己のクロスコネクト設定テーブルのａｌｌｏｗＮＥの値を０に設定する。
また，一括禁止コマンドは，送信元ＮＭＳ以外の，該ＮＥを管理する他のＮＭＳまたはＬＣＴにも受信され，他のＮＭＳまたはＬＣＴも，自己のクロスコネクト管理データのａｌｌｏｗＮＥの値を０に設定する。
ＮＭＳまたはＬＣＴは，このような権限の一括委譲の状況を，許可状態確認コマンドをＮＥに送信することにより確認することもできる。
すなわち，ネットワーク管理者が，ＮＭＳ（またはＬＣＴ）のＧＵＩ部１３を使用して権限の委譲状況の確認を指定すると，制御部１１は，指定されたＮＥに許可状態確認コマンドを送信する。
この許可状態確認コマンドを受信したＮＥは，クロスコネクト設定テーブルのａｌｌｏｗＮＥの値を読み出し，読み出した値を送信元のＮＭＳ（またはＬＣＴ）に返信する。ＮＭＳ（またはＬＣＴ）の制御部１１は，受信した値に基づいて，権限委譲状況をＧＵＩ部１３に表示する。
なお，これまで述べた実施の形態において，ＮＭＳまたはＬＣＴは，ソース情報または権限委譲情報を暗号化してコマンドに付加してもよいし，ソース情報または権限委譲情報を付加したコマンド全体を暗号化して送信してもよい。
また，ＬＣＴ３１〜３４は，ＮＥ４１〜４４のクロスコネクトの設定等をそれぞれ行うことから，ＬＣＴもＮＭＳに含めて考えることもできる。
【産業上の利用の可能性】
本発明は，伝送ネットワーク，特にクロスコネクトにより信号を伝送する伝送装置から構成される伝送ネットワークを管理するネットワーク管理システムに利用することができる。また，本発明は，伝送装置，特にクロスコネクトにより信号を伝送する伝送装置に利用することができる。
本発明によると，階層化されたネットワーク管理システムによるクロスコネクトを矛盾なく設定することができ，また，通常の運用時の利便性を何等損なうことなく，かつ操作ミスに起因する回線断等の障害を未然に防ぐことができる。
【図１】
2004051928.tif 000007
【図２】
2004051928.tif 000008
【図３】
2004051928.tif 000009
【図４】
2004051928.tif 000010
【図５】
2004051928.tif 000011
【図６】
2004051928.tif 000012
【図７】
2004051928.tif 000013
【図８】
2004051928.tif 000014
【図９】
2004051928.tif 000015
【国際調査報告】
2004051928.tif 000016
2004051928.tif 000017
2004051928.tif 000018
2004051928.tif 000019